(57)【要約】【課題】複数の画像形成装置を含む画像形成システムにおいて、複数の画像形成装置の最適な配置についての有益な情報を提示する。【解決手段】サーバコンピュータのＣＰＵは、ＭＦＰから受信した記録用紙の枚数をＭＦＰの実績ＰＶデータに積算して実績管理テーブルに記憶するステップ（Ｓ２０１０）と、分析日時になると（Ｓ２０２０にてＹＥＳ）、実績管理テーブルを読み出して（Ｓ２０３０）、各ＭＦＰの実績ＰＶの合計値から各ＭＦＰの仕様ＰＶの合計値を減算して指標Ａを算出するステップ（Ｓ２０７０）と、指標Ａが負値であると（Ｓ２０８０にてＹＥＳ）、仕様ＰＶの合計値が指標Ａの絶対値を上回らないＭＦＰの組合せを管理外とする提案を決定するステップ（Ｓ２１１０）と、指標Ａが負値でなくしきい値以上であると（Ｓ２１２０にてＹＥＳ）、仕様ＰＶが指標Ａ以上のＭＦＰを導入する提案を決定するステップ（Ｓ２１３０）とを含むプログラムを実行する。【選択図】図５
2011059861.tif 000002
【特許請求の範囲】
【請求項１】
複数の画像形成装置を含む画像形成システムの管理装置であって、
前記複数の画像形成装置における画像形成実績を取得するための取得手段と、
各前記画像形成装置について、画像形成能力と、前記取得した画像形成実績とを記憶するための記憶手段と、
予め定められた期間における、前記画像形成能力と前記画像形成実績とに基づいて、前記画像形成システム全体の負荷状況を算出するための算出手段と、
前記算出された負荷状況に基づいて、前記画像形成システムにおける画像形成装置の構成についての情報を作成するための作成手段と、
前記作成された情報を出力するための出力手段とを含む、管理装置。
【請求項２】
前記算出手段は、前記システムに含まれる画像形成装置についての画像形成能力の合計値と前記システムに含まれる画像形成装置についての画像形成実績の合計値との差値、または、前記画像形成装置の画像形成能力と当該画像形成装置の画像形成実績との差を前記システムに含まれる画像形成装置について積算した積算値に基づいて、前記負荷状況を算出するための手段を含む、請求項１に記載の管理装置。
【請求項３】
前記作成手段は、前記画像形成能力の合計値が前記画像形成実績の合計値よりも大きい場合、前記画像形成システムに含まれる複数の画像形成装置の中から、前記差値または前記積算値に対応する画像形成能力を備えた１以上の画像形成装置を抽出して、抽出された画像形成装置を前記システムから控除するという提案情報を作成するための手段を含む、請求項２に記載の管理装置。
【請求項４】
前記作成手段は、前記画像形成能力の合計値が前記画像形成実績の合計値よりも小さい場合、前記差値または前記積算値に対応する画像形成能力を備えた画像形成装置を前記システムに追加するという提案情報を作成するための手段を含む、請求項２に記載の管理装置。
【請求項５】
前記複数の画像形成装置と前記管理装置とはネットワーク通信可能に接続され、
前記取得手段は、前記ネットワーク通信を介して、前記複数の画像形成装置における画像形成実績を取得するための手段を含む、請求項１〜請求項４のいずれかに記載の管理装置。
【請求項６】
前記複数の画像形成装置と前記管理装置とはネットワーク通信可能に接続され、
前記管理装置は、前記ネットワーク通信を介して、前記複数の画像形成装置における画像形成能力を取得するための手段をさらに含む、請求項１〜請求項５のいずれかに記載の管理装置。
【請求項７】
請求項１〜請求項６のいずれかに記載の管理装置を備えた画像形成装置。
【発明の詳細な説明】
【技術分野】
【０００１】
本発明は、電子写真方式等を用いて画像データに基づいて記録媒体（代表的には記録用紙）に画像を形成する複数の画像形成装置により構成される画像形成システムの管理装置であって、特に、ある部門においてこのような画像形成システムを管理して使用している場合に、複数の画像形成装置における画像形成実績を取得して、複数の画像形成装置の最適な配置についての情報を提示することのできる管理装置に関する。また、本発明は、このような管理装置を備えた画像形成装置にも関係がある。
【背景技術】
【０００２】
プリンタ機能またはコピー機能等を備えた画像形成装置をネットワークに接続し、これらを１つの部門に属する複数のユーザで利用するケースが多くなっている。また、このような画像形成装置の１つである複合機（ＭＦＰ（Ｍｕｌｔｉｆｕｎｃｔｉｏｎ  Ｐｅｒｉｐｈｅｒａｌ））のように、コピーモード、画像通信モード（代表的にはファクシミリ通信モードがある。なお、以下において、ファクシミリをＦＡＸまたはファクスと記載する場合がある。）、ネットワーク対応のプリンタモード、およびスキャナモードのように複数のモードを有するものも多くなってきている。なお、部門とは、複合機を共用する人的集合の単位であって、たとえば、会社等の組織における、事業部、部、課または係である。
【０００３】
このようなＭＦＰのコピーモードおよびプリンタモードを使用すると、スキャンした原稿の画像データまたはコンピュータから送信された画像データに基づく画像が形成された記録用紙がＭＦＰから出力される。また、画像通信モードで画像データを受信すると、受信した画像データに基づく画像が形成された記録用紙がＭＦＰから出力される。このようにしてＭＦＰから出力された記録用紙の枚数を管理すること、および、ＭＦＰにおける稼働状況を管理することは、従来から行なわれている。これらに関する技術が、以下に示す特許文献に開示されている。
【０００４】
特開２００２−３０４２７１号公報（特許文献１）は、ネットワークに接続され、記録用紙に画像を形成する画像形成装置（ＭＦＰ、プリンタ等）の負荷が高くなる問題を解決する仲介システムを開示する。この仲介システムは、ネットワークに接続された任意のクライアントコンピュータとプリンタとの間で実用的な印刷を実現することができる。
【０００５】
この特許文献１の段落００８８には、リレーションサービスが開示されている。このリレーションサービスは、仲介システムを経由して行なわれる印刷状況を取得および記録し、活用可能な統計データを提供する機能を奏する。仲介システムにより、いかなるユーザが、いかなる印刷データを、いかなる出力先に印刷させたかという印刷実績を把握しておいて、リレーションサービスは、このような印刷実績の主たる情報を蓄積し、統計処理を実行する。リレーションサービスとして、こうして得られた統計データを活用すれば、たとえば、プリンタごとの稼働率の違いを把握することができ、プリンタの保守管理に活用することができる。また、稼働率が高いプリンタ付近にプリンタを増設するように働きかけることもできる。
【０００６】
また、特開２００７−８６１０３号公報（特許文献２）には、ユーザの要求を満たしつつ、画像形成する記録用紙の使用枚数を制限枚数以内に制限することができる画像形成装置が、特開２００３−２４８５７６号公報（特許文献３）には、ネットワークに接続された画像形成装置から印刷設定情報（両面、片面）および排紙枚数情報を含む履歴情報を取得する管理システムが、それぞれ開示されている。
【先行技術文献】
【特許文献】
【０００７】
【特許文献１】特開２００２−３０４２７１号公報
【特許文献２】特開２００７−８６１０３号公報
【特許文献３】特開２００３−２４８５７６号公報
【発明の概要】
【発明が解決しようとする課題】
【０００８】
しかしながら、上述した特許文献においては、画像形成装置から印刷履歴情報を取得すること（特許文献３）、画像形成装置における画像形成枚数を管理すること（特許文献２）、複数の画像形成装置から構成されるシステムにおいて画像形成実績を収集し分析して個々の画像形成装置の稼働率を算出すること（特許文献１）が、開示されているに過ぎない。
【０００９】
このような技術では、ある部門において、複数の画像形成装置から構成される画像形成システムを管理して使用している場合における、複数の画像形成装置が、システム全体として最適な配置になっているのか否かを判定することができない。
【００１０】
なお、特許文献３においては、プリンタの稼働率を算出して、その稼働率が高いプリンタ付近にプリンタを増設するように働きかけることが開示されている。これでは、画像形成システムにおいて、局所的な高稼働率である状態を解消することを実現できても、画像形成システムの全体として機器（画像形成装置、ＭＦＰ、プリンタ）を最適に配置することを実現することはできない。
【００１１】
本発明は、上述の課題を解決するために、複数の画像形成装置から構成される画像形成システムにおいて、複数の画像形成装置の最適な配置についての有益な情報を提示することのできる管理装置およびその管理装置を備えた画像形成装置を提供することである。
【課題を解決するための手段】
【００１２】
本発明のある局面に係る画像形成システムの管理装置は、複数の画像形成装置を含む画像形成システムを管理する。この管理装置は、複数の画像形成装置における画像形成実績を取得するための取得手段と、各画像形成装置について、画像形成能力と、取得した画像形成実績とを記憶するための記憶手段と、予め定められた期間における、画像形成能力と画像形成実績とに基づいて、画像形成システム全体の負荷状況を算出するための算出手段と、算出された負荷状況に基づいて、画像形成システムにおける画像形成装置の構成についての情報を作成するための作成手段と、作成された情報を出力するための出力手段とを含む。
【００１３】
この管理装置によると、画像形成システムに含まれる複数の画像形成装置について、画像形成能力と、画像形成実績とが記憶され、予め定められた期間毎に、記憶された画像形成能力と画像形成実績とに基づいて、画像形成システム全体の負荷状況が算出される。このとき、この画像形成システムに含まれる画像形成装置の全体についての画像形成能力と画像形成実績とが比較されることにより、画像形成システム全体の負荷状況が算出される。すなわち、局所的な画像形成装置の負荷ではなく、画像形成システム全体として、たとえば、システムとして、能力が余剰しているのか、不足しているのか、適度に均整が取れているのかという負荷状況が算出される。この負荷状況に基づいて、画像形成システムにおける画像形成装置の構成についての情報を作成されて、ユーザに出力される。この情報に基づくことにより、ユーザは、画像形成システムの全体として画像形成装置を最適に配置（能力が余剰していれば画像形成装置の控除、能力が不足していれば画像形成装置の追加）することができる。その結果、複数の画像形成装置から構成される画像形成システムにおいて、複数の画像形成装置の最適な配置についての有益な情報を提示することができる。
【００１４】
この算出手段は、システムに含まれる画像形成装置についての画像形成能力の合計値とシステムに含まれる画像形成装置についての画像形成実績の合計値との差値、または、画像形成装置の画像形成能力と当該画像形成装置の画像形成実績との差をシステムに含まれる画像形成装置について積算した積算値に基づいて、負荷状況を算出するための手段を含むように構成することができる。
【００１５】
このようにすると、システムに含まれる画像形成装置についての、画像形成能力と画像形成実績との差に基づいて、画像形成システム全体の負荷状況（能力余剰、能力不足、能力均整）を算出することができる。
【００１６】
この作成手段は、画像形成能力の合計値が画像形成実績の合計値よりも大きい場合、画像形成システムに含まれる複数の画像形成装置の中から、差値または積算値に対応する画像形成能力を備えた１以上の画像形成装置を抽出して、抽出された画像形成装置をシステムから控除するという提案情報を作成するための手段を含むように構成することができる。
【００１７】
このようにすると、画像形成能力の合計値が画像形成実績の合計値よりも大きい場合（画像形成システムの全体として能力が余剰している場合）、画像形成システムに含まれる１以上の画像形成装置を控除するような提案情報を作成できるので、画像形成システムにおいて、複数の画像形成装置の最適な配置についての有益な情報を提示することができる。この場合において、提案情報は、差値または積算値に対応する画像形成能力を備えた１以上の画像形成装置を控除する情報である。このため、システムにおける余剰能力が複数の画像形成装置の能力と均整している場合、余剰能力に対応する、複数の画像形成装置の組合せを提示することができる。
【００１８】
また、この作成手段は、画像形成能力の合計値が画像形成実績の合計値よりも小さい場合、差値または積算値に対応する画像形成能力を備えた画像形成装置をシステムに追加するという提案情報を作成するための手段を含むように構成することができる。
【００１９】
このようにすると、画像形成能力の合計値が画像形成実績の合計値よりも小さい場合（画像形成システムの全体として能力が不足している場合）、画像形成システムに含まれる画像形成装置を追加するような提案情報を作成できるので、画像形成システムにおいて、複数の画像形成装置の最適な配置についての有益な情報を提示することができる。
【００２０】
なお、複数の画像形成装置と管理装置とはネットワーク通信可能に接続されるように構成される場合には、この取得手段は、ネットワーク通信を介して、複数の画像形成装置における画像形成実績を取得するための手段を含むように構成することができる。また、管理装置は、ネットワーク通信を介して、複数の画像形成装置における画像形成能力を取得するための手段をさらに含むように構成することができる。
【００２１】
このようにすると、ネットワーク通信を用いて、管理装置はオンラインで画像形成実績を取得できるので、ユーザが管理装置に画像形成実績を入力する必要がない。また、管理装置はオンラインで画像形成能力を取得できるので、ユーザが管理装置に画像形成能力を入力する必要がない。このようにオンラインで取得された画像形成実績、または、オンラインで取得された画像形成実績および画像形成能力を用いて、画像形成システムにおいて、複数の画像形成装置の最適な配置についての有益な情報を提示することができる。
【００２２】
本発明の別の局面に係る画像形成装置は、上述したいずれかの管理装置を備えた画像形成装置である。
【００２３】
この画像形成装置によると、上述した管理装置を備えているので、画像形成システム全体として、たとえば、能力が余剰しているのか、不足しているのか、適度に均整が取れているのかという負荷状況を算出することができる。この負荷状況に基づいて、画像形成システムの全体として画像形成装置を最適に配置（能力が余剰していれば画像形成装置の控除、能力が不足していれば画像形成装置の追加）することができる。その結果、複数の画像形成装置から構成される画像形成システムにおいて、複数の画像形成装置の最適な配置についての有益な情報を提示することができる。
【発明の効果】
【００２４】
本発明に係る画像形成システムの管理装置または画像形成装置によると、複数の画像形成装置から構成される画像形成システムにおいて、複数の画像形成装置の最適な配置についての有益な情報を提示することができる。
【図面の簡単な説明】
【００２５】
【図１】本発明の実施の形態に係るネットワーク画像形成システムの全体構成を示す図である。
【図２】図１のサーバコンピュータのハードウェア構成を示す制御ブロック図である。
【図３】図１のＭＦＰのハードウェア構成を示す制御ブロック図である。
【図４】図１のＭＦＰの仕様（画像形成能力）管理テーブルを示す図である。
【図５】図１のサーバコンピュータおよびＭＦＰでそれぞれ実行される画像形成システム管理プログラムの制御構造を示すフローチャートである。
【図６】図５のプログラムが実行された場合にサーバコンピュータで集計される実績管理テーブルを示す図（その１）である。
【図７】図５のプログラムが実行された場合のサーバコンピュータのディスプレイの表示例を示す図（その１）である。
【図８】図５のプログラムが実行された場合にサーバコンピュータで集計される実績管理テーブルを示す図（その２）である。
【図９】図５のプログラムが実行された場合のサーバコンピュータのディスプレイの表示例を示す図（その２）である。
【図１０】本発明の実施の形態の第１の変形例に係るＭＦＰのタッチパネルディスプレイの表示例を示す図（その１）である。
【図１１】本発明の実施の形態の第１の変形例に係るＭＦＰのタッチパネルディスプレイの表示例を示す図（その２）である。
【発明を実施するための形態】
【００２６】
以下の説明において、同一の部品には同一の参照番号を付す。それらの機能および名称も同一である。したがって、それらに関する詳細な説明は繰返さない。また、以下においては、本発明に係る管理装置は、ネットワークに接続されたサーバコンピュータにより実現されるものとして説明する。なお、第１の変形例として後述するように、このサーバコンピュータで実現される管理機能を画像形成装置自体が備えるものであっても構わない。すなわち、サーバコンピュータ（管理装置）は本発明の必須的な構成要件ではない。
【００２７】
さらに、以下においては、本発明における画像形成装置は、ＭＦＰであるとして説明する。しかしながら、本発明は、記録用紙に画像を形成する装置であればよく、ＭＦＰに限定されるものではない。したがって、プリンタモードのみを備えたＭＦＰ、すなわち印刷装置（プリンタ）であっても、画像通信モードのみを備えたＭＦＰ、すなわちファクシミリ装置であっても、本発明における画像形成装置となる。
【００２８】
［全体システム構成］
図１を参照して、本発明の実施の形態に係るネットワーク画像形成システムの全体構成について説明する。このネットワーク画像形成システムは、記録用紙に画像を形成して、形成した記録用紙の枚数をサーバコンピュータへ送信するＭＦＰ（１）３００〜ＭＦＰ（５）３００（以下、ＭＦＰ（１）３００〜ＭＦＰ（５）３００をＭＦＰ３００と記載する場合がある。）と、複数のＭＦＰ３００においてユーザにより画像形成された記録用紙の枚数を集計するサーバコンピュータ２００とを含む。これらのサーバコンピュータ２００およびＭＦＰ３００は、たとえばＩＥＥＥ８０２．３に準拠したネットワーク回線４００により通信可能に接続されている。なお、ＭＦＰ（１）３００〜ＭＦＰ（５）３００は、同じ参照符号を付しているが全く同じ機能を備えるＭＦＰであるとは限らない。また、ＭＦＰ３００の台数は５台に限定されない。また、ＭＦＰ３００へプリントデータを送信する（クライアント）コンピュータは図示していない。
【００２９】
本実施の形態においては、各ＭＦＰ３００においてユーザが画像形成処理を実行すると、ＭＦＰ３００を一意に識別するＭＦＰ識別情報とともに画像形成処理した記録用紙の枚数をサーバコンピュータ２００へ送信する。サーバコンピュータ２００は、ネットワーク回線４００を介して受信した、各ＭＦＰ３００において画像形成処理した記録用紙の枚数を、ＭＦＰ３００毎に集計して、実績管理テーブルに記憶する。サーバコンピュータ２００は、一定の時間間隔で設定された分析日時になると、実績管理テーブルに基づく実績ＰＶ（Ｐｒｉｎｔ  ＶｏｌｕｍｅまたはＰａｐｅｒ  Ｖｏｌｕｍｅ）と、画像形成能力を記憶した仕様テーブルに基づく仕様ＰＶとを、各ＭＦＰおよび全ＭＦＰで比較して、複数のＭＦＰ３００の最適な配置についての有益な情報を作成する。なお、限定されるものではないが、実績ＰＶも仕様ＰＶも１ヶ月あたりの画像形成枚数として規定されている。
【００３０】
このように、本実施の形態においては、ＭＦＰを使用して画像形成する毎に、サーバコンピュータ２００に実績ＰＶが積算されて、分析日時になると、サーバコンピュータ２００が実績ＰＶと仕様ＰＶとを用いてＭＦＰの３００の最適な配置についての有益な情報を作成して、ユーザに提示する。
【００３１】
以下において、このような機能を実現するネットワーク画像形成システムを構成するサーバコンピュータ２００およびＭＦＰ３００の構成について説明する。なお、図面等において、サーバコンピュータ２００を単にサーバと、ＭＦＰ３００を単にＭＦＰと記載する場合がある。
【００３２】
［ハードウェア構成］
＜サーバコンピュータ２００＞
図２を参照して、本実施の形態に係るネットワーク画像形成システムを構成するサーバコンピュータ２００は、バス２９０と、バス２９０に接続されたＣＰＵ（Ｃｅｎｔｒａｌ  Ｐｒｏｃｅｓｓｉｎｇ  Ｕｎｉｔ）２１０と、バス２９０に接続されたＲＯＭ（Ｒｅａｄ−Ｏｎｌｙ  Ｍｅｍｏｒｙ）２２０と、バス２９０に接続されたＲＡＭ（Ｒａｎｄｏｍ  Ａｃｃｅｓｓ  Ｍｅｍｏｒｙ）２３０と、バス２９０に接続されたハードディスク（ＨＤＤ）２４０と、バス２９０に接続され、光ディスク２８２が装着可能で、光ディスク２８２に対する情報の書込および光ディスク２８２からの情報の読出が可能な光ディスクドライブ２８０と、バス２９０に接続され、マウス２５２およびキーボード２５４との間の接続に関するインターフェイスを提供するための入力インターフェイス（以下「入力ＩＦ」と呼ぶとともに、「インターフェイス」を「ＩＦ」または「Ｉ／Ｆ」と記載する。）２５０と、バス２９０に接続され、ディスプレイ２６２との間の接続に関するインターフェイスを提供するためのディスプレイインターフェイス（以下「ディスプレイＩＦ」と呼ぶ。）２６０と、有線または無線（本実施の形態においては有線）によりネットワーク回線４００への接続を提供するネットワークインターフェイス（以下「ネットワークＩＦ」と呼ぶ。）２７０とを含む。なお、サーバコンピュータ２００は、磁気ディスクが装着可能で、磁気ディスクに対する情報の書込および磁気ディスクからの情報の読出が可能な磁気ディスクドライブを、光ディスクドライブ２８０に代えて／加えて、備えるようにしても構わない。
【００３３】
バス２９０、ＲＯＭ２２０、ＲＡＭ２３０、ＨＤＤ２４０、光ディスクドライブ２８０、入力ＩＦ２５０、ディスプレイＩＦ２６０およびネットワークＩＦ２７０は、いずれもＣＰＵ２１０の制御のもとに協調して動作し、サーバコンピュータ２００は、本実施の形態に係る管理装置として、種々のアプリケーションによる処理を実現する。それらのアプリケーションは、たとえば、各ＭＦＰ３００から画像形成処理された記録用紙の枚数を受信するとＭＦＰ３００の実績ＰＶを一元的に管理する実績管理テーブルを更新して、分析日時になると実績管理テーブルを分析して複数の画像形成装置の最適な配置についての有益な情報を作成してユーザに提示するための、ネットワーク画像形成システムにおけるサーバコンピュータを実現する。
【００３４】
サーバコンピュータ２００に、本実施の形態に係るネットワーク画像形成システムにおける管理装置としての動作を行なわせるためのコンピュータプログラムは、光ディスクドライブ２８０に挿入される光ディスク２８２に記憶され、さらにＨＤＤ２４０に転送される。または、プログラムはネットワーク回線４００を通じてサーバコンピュータ２００に送信されＨＤＤ２４０に記憶されてもよい。プログラムは実行の際にＲＡＭ２３０にロードされる。光ディスク２８２から、またはネットワーク回線４００を介して、直接にＲＡＭ２３０にプログラムをロードしてもよい。
【００３５】
これらのプログラムは、サーバコンピュータ２００に本実施の形態に係るネットワーク画像形成システムにおける管理装置として動作を行なわせる複数の命令を含む。この動作を行なわせるのに必要な基本的機能のいくつかはサーバコンピュータ２００上で動作するオペレーティングシステム（ＯＳ）若しくはサードパーティのプログラム、またはサーバコンピュータ２００にインストールされる各種ツールキットのモジュールにより提供される。従って、このプログラムはこの実施の形態のシステムおよび方法を実現するのに必要な機能全てを必ずしも含まなくてよい。このプログラムは、命令のうち、所望の結果が得られるように制御されたやり方で適切な機能または「ツール」を呼出すことにより、上記したサーバコンピュータ２００として所定の処理を実行する命令のみを含んでいればよい。サーバコンピュータ２００の実体であるコンピュータの一般的動作は周知であるので、ここでは繰返して説明しない。
【００３６】
＜ＭＦＰ３００＞
図３を参照して、本実施の形態に係るネットワーク画像形成システムを構成するＭＦＰ３００は、バス３９０と、バス３９０に接続されたＣＰＵ３１０と、バス３９０に接続されたＲＯＭ３２０と、バス３９０に接続されたＲＡＭ３３０と、バス３９０に接続されたハードディスク（ＨＤＤ）３４０と、バス３９０に接続され、タッチパネルディスプレイ３８０との間の接続に関するインターフェイスを提供するための入力ＩＦ３５０およびディスプレイＩＦ３６０と、バス３９０に接続され、有線または無線（本実施の形態においては有線）によりネットワーク回線４００への接続を提供するネットワークＩＦ３７０および公衆回線への接続を提供するＦＡＸ通信部３７５とを含む。なお、図３には図示していないが、ＭＦＰ３００は、スタートボタンおよびテンキーボタン等のハードウェアボタンを備える。
【００３７】
バス３９０、ＲＯＭ３２０、ＲＡＭ３３０、ＨＤＤ３４０、入力ＩＦ３５０、ディスプレイＩＦ３６０、ネットワークＩＦ３７０およびＦＡＸ通信部３７５は、いずれもＣＰＵ３１０の制御のもとに協調して動作し、ＭＦＰ３００において、プリント処理、ＦＡＸ送受信処理、スキャナ処理、コピー処理を実現する。なお、これらの処理は、図３においては図示していないＭＦＰ３００を構成する各部品が、ＣＰＵ３１０により制御されて実行される。
【００３８】
このＭＦＰ３００が備える画像通信モードとしては、ＦＡＸ通信部３７５を介して画像データを公衆回線により送受信するファクシミリ通信モード、ネットワークＩＦ３７０を介して画像データをインターネット回線により送受信するインターネットファクシミリ通信モード、画像データを電子メールに添付する形式で送受信する電子メール通信モード（スキャンｔｏメール）、およびネットワーク回線４００を用いて画像データを特定のフォルダに転送する画像転送モード（スキャンｔｏフォルダ）等がある。
【００３９】
ＭＦＰ３００は、たとえば、原稿読取部（スキャナ部）、画像形成部、給紙部、および排紙処理装置を備える。ＭＦＰ３００においては、原稿読取部により読取られた原稿の画像データに対して、ＣＰＵ３１０により各種の画像処理が施され、この画像データが画像形成部へと出力される。なお、このＭＦＰ３００は、レーザー光を感光に利用する、所謂レーザー方式（電子写真方式）の印刷機能を備える。しかしながら、他の形式の印刷機能を備えたものであっても構わない。
【００４０】
本実施の形態に係るＭＦＰ３００は、その動作モードとして、コピーモード、ファクシミリモード（タッチパネルディスプレイ画面例では「ファクス／イメージ送信」モードと記載）、プリンタモードおよびスキャナモード（タッチパネルディスプレイ画面例では「ドキュメントファイリング」モードと記載）を備える。以下においては、これらの動作モードを説明する。
【００４１】
−ファクシミリモード−
以下において、ファクシミリ通信モード（ファクス／イメージ送信モードと記載する場合がある。）における動作について説明する。このファクシミリモードにおいては、主として、送信動作は原稿読取部（スキャナ部）およびＦＡＸ通信部３７５が動作することにより、受信動作はＦＡＸ通信部３７５および画像形成部が動作することにより、ファクシミリ通信動作が実現される。
【００４２】
送信動作については以下の通りである。ＭＦＰ３００においては、ファクシミリモードを指定して、原稿載置台に置かれた原稿が原稿読取部により画像データとして読取られ、読取られた画像データがＣＰＵ３１０に入力され、ここで画像データに各種の機能を用いて画像処理が施され、この画像データがＦＡＸ通信部３７５へと出力される。送信側のＭＦＰ３００のＦＡＸ通信部３７５は、指定された送信側の回線を指定された送信先に接続して、画像データをファクシミリ通信規格に合致した通信データへ変換して、受信側のファクシミリ装置（たとえばファクシミリ通信機能を備えたＭＦＰ３００）へ送信する。回線が接続されると、受信側のＭＦＰ３００のＦＡＸ通信部３７５は、送信側のＭＦＰ３００のＦＡＸ通信部３７５からの通信要求信号を検出して、応答信号を送信する。その後、たとえば、ＦＡＸ通信部３７５は、送信側および受信側で互いに実装されている能力情報の受渡しを行ない利用可能な最大能力での通信速度および画像データの符号化・符号訂正方式などを決定してモデムの通信方式を設定する。この通信方式にあわせた画像信号形式を用いて、送信側のＭＦＰ３００のＦＡＸ通信部３７５から受信側のＭＦＰ３００のＦＡＸ通信部３７５へデータを送信する。送信が終了すると回線が切断される。
【００４３】
受信動作については以下の通りである。受信側のＭＦＰ３００のＦＡＸ通信部３７５は、受信したデータを画像データに変換して、画像形成部へ送る。なお、受信したデータを画像データへ変換するのは画像形成部であっても構わない。画像形成部は、後述するコピーモードにおける画像形成動作と同じように、受信したデータから変換された画像データによって示される原稿の画像を記録用紙に印刷する。
【００４４】
−コピーモード−
以下において、コピーモードにおける画像形成動作について説明する。画像形成部は、原稿読取部により読取られた画像データが各種の機能により画像処理されたデータによって示される画像を記録用紙に印刷するものであって、たとえば、感光体ドラム、帯電装置、レーザースキャンユニット、現像装置、転写装置、クリーニング装置、定着装置、および除電装置等を備えている。
【００４５】
画像形成部には、たとえば、搬送路が設けられており、給紙部から給紙されてきた記録用紙が搬送路に沿って搬送される。給紙部は、用紙カセットに収納された記録用紙、または手差トレイに載置された記録用紙を１枚ずつ引出して記録用紙を画像形成部の搬送路へと送り出す。
【００４６】
画像形成部の搬送路に沿って記録用紙が搬送されている途中で、記録用紙が感光体ドラムと転写装置との間を通過し、更に定着装置を通過して、記録用紙に対する印刷が行なわれる。
【００４７】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。
【００４８】
転写装置は、転写装置と感光体ドラムとの間を通過していく記録用紙に感光体ドラムの表面のトナー像を転写する。定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、排紙トレイに排出される。
【００４９】
−プリンタモード−
以下において、プリンタモードの動作説明を行なう。このプリンタモードにおいては、主として、画像形成部が動作することにより、プリント機能が実現される。
【００５０】
ネットワークＩＦ３７０を介して（クライアント）コンピュータからプリントデータを受信すると、受信したプリントデータを画像データに変換して、画像形成部へ送る。なお、プリントデータを画像データへ変換するのは画像形成部であっても構わない。画像形成部は、上述したコピーモードにおける動作と同じように、プリントデータから変換された画像データによって示される原稿の画像を記録用紙に印刷する。
【００５１】
−スキャナモード−
以下において、スキャナモードでの動作説明を行なう。このスキャナモードにおいては、主として、原稿読取部（スキャナ部）が動作することによりスキャナ機能が実現される。
【００５２】
ＭＦＰ３００においては、原稿載置台に置かれた原稿が原稿読取部により画像データとして読取られ、読取られた画像データがＣＰＵ３１０に入力され、ここで画像データに各種の機能に基づく画像処理が施され、コピーモードでこの画像データが記録用紙に出力されたり、ファクシミリ通信モード、インターネットファクシミリ通信モードまたは電子メール通信モード（スキャンｔｏメール）でこの画像データが送信されたり、画像転送モード（スキャンｔｏフォルダ）でこの画像データがＨＤＤ３４０に記憶されたり、ネットワークに接続されたコンピュータへネットワークＩＦ３７０を介して送信されたりする。
【００５３】
［仕様テーブル構成］
図４を参照して、このネットワーク画像形成システムを構成するＭＦＰ３００の画像形成能力示す仕様ＰＶについて説明する。この図４は、ＭＦＰ３００の仕様（画像形成能力）をテーブル形式で示している。この仕様管理テーブルは、ＨＤＤ２４０に格納されている。
【００５４】
図４の仕様管理テーブルに示すＭＦＰ３００は、図１のＭＦＰ（１）３００〜ＭＦＰ（５）３００に対応している。このネットワーク画像形成システムを構成する、ＭＦＰ（１）３００の仕様（画像形成能力）は３０Ｋ（＝３０，０００）（枚／月）であって、ＭＦＰ（２）３００の仕様は４５Ｋ（＝４５，０００）（枚／月）であって、ＭＦＰ（３）３００の仕様は６０Ｋ（＝６０，０００）（枚／月）であって、ＭＦＰ（４）３００の仕様は７０Ｋ（＝７０，０００）（枚／月）であって、ＭＦＰ（５）３００の仕様は８０Ｋ（＝８０，０００）（枚／月）であることが記憶されている。これらの仕様ＰＶの合計は、２８５Ｋ（＝２８５，０００）（枚／月）となる。なお、図ではＫ（＝１０００）を記載していない。
【００５５】
［ソフトウェア構成］
図５を参照して、本実施の形態に係るネットワーク画像形成システムのＭＦＰ３００の最適な配置についての提案情報をユーザに提示するために、サーバコンピュータ２００およびＭＦＰ３００で実行されるコンピュータプログラムの制御構造について説明する。
【００５６】
図５の左上に示すプログラムは、ＭＦＰ３００のＣＰＵ３１０において実行される。ステップ（以下、ステップをＳと略す。）３０００にて、ＭＦＰ３００のＣＰＵ３１０（以下、単にＣＰＵ３１０と記載する。）は、このＭＦＰ３００を使用するユーザによる画像形成処理（コピー出力、プリント出力等）が終了したか否かを判定する。ＣＰＵ３１０は、画像形成処理が終了したと判定されると（Ｓ３０００にてＹＥＳ）、処理はＳ３０１０へ移される。もしそうでないと（Ｓ３０００にてＮＯ）、この処理はＳ３０００へ戻されて、このＭＦＰ３００を使用するユーザによる画像形成処理が終了したと判定されるまで待つ。
【００５７】
Ｓ３０１０にて、ＣＰＵ３１０は、画像形成処理した記録用紙の枚数を、ＭＦＰ識別情報とともにサーバコンピュータ２００へ送信する。
【００５８】
図５の右側に示すプログラムは、サーバコンピュータ２００のＣＰＵ２１０において実行される。Ｓ２０００にて、サーバコンピュータ２００のＣＰＵ２１０（以下、単にＣＰＵ２１０と記載する。）は、ＭＦＰ３００から、画像形成処理された記録用紙の枚数を受信したか否かを判定する。このとき、対象となるのは複数のＭＦＰ３００である。ＭＦＰ３００から画像形成処理された記録用紙の枚数を受信したと判定されると（Ｓ２０００にてＹＥＳ）、処理はＳ２０１０へ移される。もしそうでないと（Ｓ２０００にてＮＯ）、この処理はＳ２０００へ戻されて、ＭＦＰ３００から画像形成処理された記録用紙の枚数を受信したと判定されるまで待つ。
【００５９】
Ｓ２０１０にて、ＣＰＵ２１０は、ＭＦＰ３００から受信した画像形成処理された記録用紙の枚数を、同時に受信したＭＦＰ識別情報により特定される該当のＭＦＰ３００の実績ＰＶとして積算して、実績管理テーブルに記憶する。この実績管理テーブルはＨＤＤ２４０に格納されている。
【００６０】
Ｓ２０２０にて、ＣＰＵ２１０は、予め定められた分析日時に到達したか否かを判定する。予め定められた分析日時とは、たとえば１ヶ月間隔に設定される。分析日時に到達したと判定されると（Ｓ２０２０にてＹＥＳ）、この処理はＳ２０３０へ移される。もしそうでないと（Ｓ２０２０にてＮＯ）、この処理はＳ２０００へ戻される。
【００６１】
Ｓ２０３０にて、ＣＰＵ２１０は、ＨＤＤ２４０に記憶された実績管理テーブルを読み出す。Ｓ２０４０にて、ＣＰＵ２１０は、各ＭＦＰ３００について、（実績ＰＶ−仕様ＰＶ）および（実績ＰＶ／仕様ＰＶ）（さらに×１００（％））を算出する。
【００６２】
Ｓ２０５０にて、ＣＰＵ２１０は、各ＭＦＰ３００の実績ＰＶの合計値（Σ（実績ＰＶ））を算出する。Ｓ２０６０にて、ＣＰＵ２１０は、各ＭＦＰ３００の仕様ＰＶの合計値（Σ（仕様ＰＶ））を算出する。Ｓ２０７０にて、ＣＰＵ２１０は、各ＭＦＰ３００の実績ＰＶの合計値（Σ（実績ＰＶ））から各ＭＦＰ３００の仕様ＰＶの合計値Σ（仕様ＰＶ）を減算した値を、指標Ａとして算出する。なお、この指標Ａは、Ｓ２０４０にて算出した各ＭＦＰ３００についての（実績ＰＶ−仕様ＰＶ）を、全てのＭＦＰ３００について積算した値と等しくなる。この処理において算出される指標Ａは、このネットワーク画像形成システム全体の負荷状況を示すものである。
【００６３】
Ｓ２０８０にて、ＣＰＵ２１０は、指標Ａは、負値（０よりも小さい）か否かを判定する。指標Ａは、負値であると判定されると（Ｓ２０８０にてＹＥＳ）、処理はＳ２０９０へ移される。もしそうでないと（Ｓ２０８０にてＮＯ）、この処理はＳ２１２０へ移される。
【００６４】
Ｓ２０９０にて、ＣＰＵ２１０は、仕様ＰＶの合計値が、指標Ａの絶対値を上回らないＭＦＰ３００の組合せを選択する。Ｓ２１００にて、ＣＰＵ２１０は、ＭＦＰ３００の組合せが選択できたか否かを判定する。ＭＦＰ３００の組合せが選択できたと判定されると（Ｓ２１００にてＹＥＳ）、処理はＳ２１１０へ移される。もしそうでないと（Ｓ２１００にてＮＯ）、この処理は終了する。
【００６５】
Ｓ２１１０にて、ＣＰＵ２１０は、組合せられたＭＦＰ３００をこのネットワーク画像形成システムの管理外とする提案情報を決定する。その後、処理はＳ２１４０へ移される。
【００６６】
Ｓ２１２０にて、ＣＰＵ２１０は、指標Ａがしきい値以上であるか否かを判定する。ここで、しきい値は、正値であって、たとえば１５Ｋと設定される。指標Ａがしきい値以上であると判定されると（Ｓ２１２０にてＹＥＳ）、処理はＳ２１３０へ移される。もしそうでないと（Ｓ２１２０にてＮＯ）、この処理は終了する。
【００６７】
Ｓ２１３０にて、ＣＰＵ２１０は、仕様ＰＶが指標Ａ（＞０）以上のＭＦＰをこのネットワーク画像形成システムに導入する提案情報を決定する。
【００６８】
Ｓ２１４０にて、ＣＰＵ２１０は、提案情報をユーザが認識できるように出力する。この場合、記録用紙に印刷したり、ディスプレイ２６２に表示したりされる。
【００６９】
なお、Ｓ２１００にてＮＯの場合、または、Ｓ２１２０にてＮＯの場合、Ｓ２１４０の処理を実行することなく、この処理は終了する。この場合には、このネットワーク画像形成システム全体として、仕様（能力）と実績とが均整していることを示す。
【００７０】
［動作］
以上のような構造およびフローチャートに基づく、本実施の形態に係るネットワーク画像形成システムの動作について説明する。
【００７１】
ネットワーク画像形成システムを構成するＭＦＰ３００においてユーザが画像形成処理を完了する毎に（Ｓ３０００にてＹＥＳ）、そのＭＦＰ３００を識別するＭＦＰ識別情報とともに、画像形成処理された記録用紙の枚数が、サーバコンピュータ２００へ送信される（Ｓ３０１０）。
【００７２】
サーバコンピュータは記録用紙の枚数を受信する度に（Ｓ２０００にてＹＥＳ）、受信した記録用紙の枚数を、同時に受信したＭＦＰ識別情報により特定される該当のＭＦＰ３００の実績ＰＶとして積算して、実績管理テーブルに記憶する（Ｓ２０１０）。このような実績積算処理が、１ヶ月の間において繰返し行なわれる。
【００７３】
１ヶ月毎に設定された分析日時になると（Ｓ２０２０にてＹＥＳ）、実績管理テーブルがＨＤＤ２４０から読み出されて（Ｓ２０３０）、各ＭＦＰ３００について、（実績ＰＶ−仕様ＰＶ）が算出される（Ｓ２０４０）
各ＭＦＰ３００の実績ＰＶの合計値（Σ（実績ＰＶ））が算出され（Ｓ２０５０）、各ＭＦＰ３００の仕様ＰＶの合計値（Σ（仕様ＰＶ））が算出される（Ｓ２０６０）。さらに、Ｓ２０５０にて算出された各ＭＦＰ３００の実績ＰＶの合計値（Σ（実績ＰＶ））から、Ｓ２０６０にて算出された各ＭＦＰ３００の仕様ＰＶの合計値（Σ（仕様ＰＶ））を減算した値が、指標Ａとして算出される（Ｓ２０７０）。
【００７４】
このように算出される指標Ａは、ネットワーク画像形成システムの全体として、画像形成能力が実績を下回っていると（能力的に不足していると）正値になり、ネットワーク画像形成システムの全体として、画像形成能力が実績を上回っていると（能力的に足りていると）負値になる。
【００７５】
指標Ａが負値である場合（ネットワーク画像形成システムの全体として画像形成能力が実績値を上回っており能力的に足りていると）、仕様ＰＶの合計値が指標Ａ（＜０）の絶対値を上回らないＭＦＰ３００の組合せが選択される。このときのＭＦＰ３００の選択を、図６を参照して説明する。図６は、サーバコンピュータ２００で集計される実績管理テーブルを示す図である。なお、図６には、仕様管理テーブルに記憶される仕様ＰＶも併記している。
【００７６】
この図６に示す場合には、指標Ａは−７５である。仕様ＰＶの合計値が指標Ａ（−７５）の絶対値（７５）を上回らないＭＦＰ３００の組合せとしては、（Ａ）仕様ＰＶが３０のＭＦＰ（１）３００のみ、（Ｂ）仕様ＰＶが４５のＭＦＰ（２）３００のみ、（Ｃ）仕様ＰＶが６０のＭＦＰ（３）３００のみ、（Ｄ）仕様ＰＶが７０のＭＦＰ（４）３００のみ、（Ｅ）仕様ＰＶが３０のＭＦＰ（１）３００と仕様ＰＶが４５のＭＦＰ（２）３００との組合せ、の５種類が選択される。
【００７７】
このように組合せられたＭＦＰ３００（上述の（Ａ）〜（Ｅ））を、このネットワーク画像形成システムの管理外とする提案情報を決定する（Ｓ２１００）。この提案情報が、ユーザが認識できるように、たとえば、図７に示すように、ディスプレイ２６２に表示される（Ｓ２１４０）。なお、この図７に示す提案情報を印刷するようにしても構わない。
【００７８】
このように、このネットワーク画像形成システムの管理外とする提案情報を受けたシステム管理者は、たとえば、提示されたＭＦＰ３００のリース契約を解除したり、提示されたＭＦＰ３００を他の部署へ移動させたりすることになる。
【００７９】
一方、指標Ａが正値である場合（ネットワーク画像形成システムの全体として画像形成能力が実績値を下回っており能力的に不足していると）、仕様ＰＶの合計値が指標Ａ（＞０）がしきい値以上であるか否かが判定される（Ｓ２１２０）。このときの判定を、図８を参照して説明する。図８は、図６と同様に、サーバコンピュータ２００で集計される実績管理テーブルを示す図である。なお、図８においても図６と同様に、仕様管理テーブルに記憶される仕様ＰＶも併記している。
【００８０】
この図８に示す場合には、指標Ａは１５（Ｋ）である。指標Ａ（１５Ｋ）がしきい値（１５Ｋ）以上であるので（Ｓ２１２０にてＹＥＳ）、仕様ＰＶが指標Ａ以上のＭＦＰをこのネットワーク画像形成システムに導入する提案情報を決定する（Ｓ２１３０）。この提案情報が、ユーザが認識できるように、たとえば、図９に示すように、ディスプレイ２６２に表示される（Ｓ２１４０）。なお、この図９に示す提案情報を印刷するようにしても構わない。
【００８１】
このように、このネットワーク画像形成システムにＭＦＰを導入する提案情報を受けたシステム管理者は、たとえば、提示された仕様のＭＦＰ３００を新規にリース契約したり、提示された仕様のＭＦＰ３００を他の部署から移動させたりすることになる。
【００８２】
なお、図８および図９に示す場合には、指標Ａ＝しきい値であるが、指標Ａが（しきい値（１５Ｋ）×Ｎ）に近い場合には、仕様ＰＶがしきい値（１５Ｋ）であるＭＦＰ３００をＮ台導入することを提案するようにしても、仕様ＰＶがしきい値（１５Ｋ）のＮ倍であるＭＦＰ３００を１台導入することを提案するようにしてもよい。
【００８３】
以上のようにして、本実施の形態に係るネットワーク画像形成システムによると、ネットワークに接続されたＭＦＰにおいて実際に画像形成された記録用紙の枚数を積算して実績ＰＶを算出して、この実績ＰＶの合計から仕様ＰＶの合計を減算して指標Ａを算出する。この指標Ａが負値である場合にはネットワーク画像形成システムの全体としての能力が足りているので、その余剰能力に見合ったＭＦＰをこのネットワーク画像形成システムの管理外とする提案を行なう。この指標Ａが正値であってしきい値以上である場合にはネットワーク画像形成システムの全体としての能力がＭＦＰを補充しなければならない程度まで不足しているので、その不足能力に見合ったＭＦＰをこのネットワーク画像形成システムにＭＦＰを導入する提案を行なう。このように、ネットワーク画像形成システムの全体としての能力を判定して、システム内のＭＦＰを最適に配置することができる。
【００８４】
なお、上述したように、（実績ＰＶ−仕様ＰＶ）ではなくて、（仕様ＰＶ−実績ＰＶ）とすると、指標Ａの符号（正負）は逆になる。
【００８５】
＜第１の変形例＞
上述した実施の形態においては、サーバコンピュータが管理装置として機能して、ユーザにシステムにおけるＭＦＰの最適な配置についての提案を行なう。しかしながら、このサーバコンピュータで実現される管理機能を画像形成装置（ＭＦＰ）自体が備えるものであっても構わない。
【００８６】
すなわち、ネットワーク回線４００を介して、たとえば、ＭＦＰ（１）３００が、他のＭＦＰ（２）３００〜ＭＦＰ（５）３００において画像形成処理した記録用紙の枚数を受信して、自己（ＭＦＰ（１）３００）において画像形成処理した記録用紙の枚数と併せて、実績ＰＶを実績管理テーブルに記憶する。ＭＦＰ（１）３００のＣＰＵ３１０において、図５のＳ２０２０〜Ｓ２１４０の処理を実行させる。
【００８７】
この場合において、Ｓ２１４０の処理においては、図１０または図１１に示すように、ＭＦＰ（１）３００のタッチパネルディスプレイ３８０に提案情報が出力される。なお、この図１０または図１１に示す提案情報を印刷するようにしても構わない。
【００８８】
このように、本変形例においては、サーバコンピュータ（管理装置）を備えなくても構わない。
【００８９】
＜第２の変形例＞
さらに、上述した実施の形態においては、ネットワーク回線で接続されたサーバコンピュータ２００において提案情報が決定されて出力されている。また、上述した第１の変形例においては、ネットワーク回線で接続されたＭＦＰ（１）３００において提案情報が決定されて出力されている。
【００９０】
このようなネットワーク回線４００で接続されていない（画像形成処理した記録用紙の枚数をオンラインで取得できない）場合でも、オフラインにより実績を収集して、提案情報を決定して出力することもできる。
【００９１】
この場合、コンピュータ（ＭＦＰとネットワーク接続されていないコンピュータ）またはＭＦＰに、管理対象のＭＦＰの仕様ＰＶと実績ＰＶとを入力して、入力された装置（コンピュータ、ＭＦＰ）において、図５のＳ２０２０〜Ｓ２１４０の処理を実行させる。このように、ネットワーク接続されていない、オフラインでの処理でも構わない。
【００９２】
＜第３の変形例＞
さらに、上述した実施の形態においては、実績ＰＶと仕様ＰＶとの差に基づいて、ネットワーク画像形成システム全体の負荷状況を算出していたが、実績ＰＶと仕様ＰＶとの比率（デューティ）を用いてネットワーク画像形成システム全体の負荷状況を算出するようにしても構わない。
【００９３】
＜第４の変形例＞
さらに、上述した実施の形態においては、実績ＰＶ（画像形成処理した記録用紙の枚数）を、ネットワークを介して、ＭＦＰ３００からサーバコンピュータ２００が取得していた。これに加えて、ネットワークを介して、仕様ＰＶ（画像形成能力）をサーバコンピュータ２００が取得するようにしても構わない。なお、仕様ＰＶ（画像形成能力）は、各ＭＦＰ３００から取得しても、ＭＦＰ３００とは別の装置（たとえばＭＦＰ管理装置）から取得しても、構わない。
【００９４】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【００９５】
２００  サーバコンピュータ
３００  ＭＦＰ
４００  ネットワーク回線
【図１】
2011059861.tif 000003
【図２】
2011059861.tif 000004
【図３】
2011059861.tif 000005
【図４】
2011059861.tif 000006
【図５】
2011059861.tif 000007
【図６】
2011059861.tif 000008
【図７】
2011059861.tif 000009
【図８】
2011059861.tif 000010
【図９】
2011059861.tif 000011
【図１０】
2011059861.tif 000012
【図１１】
2011059861.tif 000013